(57)【要約】【課題】組み立てが不要で、軽量かつ小さく、パッドの大きさに制限がなく、かつ安価な電子ドラム装置を提供する。【解決手段】パッドをドラムスティック１０で打撃することにより、該打撃したパッドに応じた演奏音を音源ユニット２０より出力する電子ドラム装置であって、ドラムスティック１０は、パッドを打撃した際にトリガー信号を出力するトリガー出力部１００と、打撃されたパッドを検出するパッド検出部１０２と、前記トリガー信号が入力された際にパッド検出部１０２の検出出力に基づいて演奏情報を生成し、出力する演奏情報生成部１０４と、演奏情報生成部１０４より出力された演奏情報を音源ユニット２０に送信する無線通信部１０６とを有する。【選択図】　　　図２
2004037746.tif 000002
【特許請求の範囲】
【請求項１】
パッドをドラムスティックで打撃することにより、該打撃したパッドに応じた演奏音を音源ユニットより出力する電子ドラム装置であって、
前記ドラムスティックは、
前記パッドを打撃した際にトリガー信号を出力するトリガー出力手段と、
打撃したパッドを検出するパッド検出手段と、
前記トリガー信号が入力された際に前記パッド検出手段の検出出力に基づいて演奏情報を生成し、出力する演奏情報生成手段と、
前記演奏情報生成手段より出力された演奏情報を前記音源ユニットに送信する通信手段と、
を有することを特徴とする電子ドラム装置。
【請求項２】
前記音源ユニットは、
前記ドラムスティックより演奏情報を受信する通信手段と、
該通信手段により受信した演奏情報に基づいてオーディオ信号を出力する音源と、
を有することを特徴とする請求項１に記載の電子ドラム装置。
【請求項３】
前記パッドは、異なる複数種の色が施されたカラーパッドであり、
前記パッド検出手段は、打撃したパッドの色を検出し、
前記演奏情報生成手段は、前記パッド検出手段により検出されたパッドの色に対応する演奏情報を生成し、出力することを特徴とする請求項１または２のいずれかに記載の電子ドラム装置。
【発明の詳細な説明】
【０００１】
【発明の属する技術分野】
本発明は、電子ドラム装置に係り、特に携帯型の電子ドラム装置に関する。
【０００２】
【従来の技術】
従来の電子ドラム装置としては、アコースティックドラムを模したタイプ、一つの機器のパッドを複数面に分割して使用するタイプ、アコースティックドラムにトリガー検出手段を装着して使用するタイプ等の電子ドラム装置が有る。
【０００３】
【発明が解決しようとする課題】
アコースティックドラムを模したタイプの電子ドラム装置にあっては、本格的なものであるが、組み立てが必要であり、重く、かつ大きいために、容易に持ち運びができないという問題が有る。
また、一つの機器のパッドを複数面に分割して使用するタイプの電子ドラム装置では、アコースティックドラムを模したタイプのものよりコンパクトであるが、パッド面も小さいので、使いにくいという問題が有った。
さらに、アコースティックドラムにトリガー出力手段を装着して使用するタイプの電子ドラム装置では、アコースティックドラムがないと使用できないという問題が有った。
【０００４】
本発明はこのような事情に鑑みてなされたものであり、組み立てが不要で、軽量かつ小さく、パッドの大きさに制限がなく、かつ安価な電子ドラム装置を提供することを目的とする。
【０００５】
【課題を解決するための手段】
上記目的を達成するために、請求項１に記載の発明は、パッドをドラムスティックで打撃することにより、該打撃したパッドに応じた演奏音を音源ユニットより出力する電子ドラム装置であって、前記ドラムスティックは、前記パッドを打撃した際にトリガー信号を出力するトリガー出力手段と、打撃したパッドを検出するパッド検出手段と、前記トリガー信号が入力された際に前記パッド検出手段の検出出力に基づいて演奏情報を生成し、出力する演奏情報生成手段と、前記演奏情報生成手段より出力された演奏情報を前記音源ユニットに送信する通信手段とを有することを特徴とする。
【０００６】
また、請求項２に記載の発明は、請求項１に記載の電子ドラム装置において、前記音源ユニットは、前記ドラムスティックより演奏情報を受信する通信手段と、該通信手段により受信した演奏情報に基づいてオーディオ信号を出力する音源とを有することを特徴とする。
【０００７】
また、請求項３に記載の発明は、請求項１または２のいずれかに記載の電子ドラム装置において、前記パッドは、異なる複数種の色が施されたカラーパッドであり、前記パッド検出手段は、打撃したパッドの色を検出し、前記演奏情報生成手段は、前記パッド検出手段により検出されたパッドの色に対応する演奏情報を生成し、出力することを特徴とする。
【０００８】
【発明の実施の形態】
以下、本発明の実施形態を、図面を参照して詳細に説明する。本発明の実施形態に係る電子ドラム装置の構成を図１に示す。本発明の実施形態に係る電子ドラム装置は、ドラムスティック１０と、音源ユニット２０と、図示してないパッドとから構成されており、音源ユニット２０の出力端にはスピーカ２２が接続されている。
【０００９】
ドラムスティック１０は、その先端部の内部にパッド検出部としてのパッドの色を検出する色センサ１０２と、上記先端部付近の内部に設けられたトリガー出力手段としての振動センサ１００と、下端部に設けられ、色センサ１０２及び振動センサ１００の出力に基づいて演奏情報を生成し、出力する演奏情報生成手段としての演奏情報生成部１０４と、通信手段としての無線通信部１０６とを有している。また、色センサ１０２はその前面に受光面１０２Ａを有している。
【００１０】
次に、本発明の実施形態に係る電子ドラム装置の電気的構成を図２に示す。同図において、電子ドラム装置は、トリガー出力部１００、パッド検出部１０２、演奏情報生成部１０４、無線通信部１０６からなるドラムスティック１０と、無線通信部２００、音源２０２、アンプ２０４からなる音源ユニット２０とを有している。
【００１１】
トリガー出力部１００は、図１に示すように、例えば、振動センサで構成され、ドラムスティック１０の先端部でパッド等を叩くことにより振動センサ１００は、図４に示すような信号を発生し、この信号のレベルが閾値（ＴＨ）を超えた点でトリガー信号が発生したものとして、振動が発生したこと、すなわちドラムスティック１０でパッド等の物体を打撃したことを示す検出信号を出力する。後述する演奏情報生成部１０４はトリガー出力部１００から出力されるトリガー信号を受けたときのみ動作状態となる。
【００１２】
なお、図３に示すように、図１に示すドラムスティック１０を、打撃部を含む前部１０Ａと、前部１０Ａに連結された後部１０Ｂとから構成し、前部１０Ａと後部１０Ｂとの連結部に圧電センサ１１０を設け、前部１０Ａでパッド等の物を打撃したときに、矢印Ｘ方向に応力が働き、圧電センサ１１０によりその応力を検出することによりドラムスティックでパッド等の物体を打撃したことを検出し、この検出信号に基づいてトリガー信号を発生させるように構成してもよい。上記以外の構成は図１に示すドラムスティックと同一である。
【００１３】
パッド検出部１０２は、図１に示すように、例えば、異なる複数種の色が施されたカラーパッドの各色を検出する色センサで構成される。この色センサは、検出物体の色度により光の３原色Ｒ，Ｇ，Ｂそれぞれの反射率が異なることを利用してＲ．Ｇ，Ｂの光を同一光軸上に投光し、検出物体からの反射光を受光部に導いて、受光した光のＲ，Ｇ，Ｂの割合を演算処理することにより色の判別を行うようになっている。
また、カラーパッドは、大きさ、形状、素材は問わない。例えば、図８に示すような、赤、青、緑、黒などの色を印刷したビニールシートなどを作れば、巻いたり、折り畳んだりすることができ、携行に便利である。
【００１４】
演奏情報生成部１０４は、パッド検出部（色センサ）１０２の出力を取り込み、内蔵されているメモリに記憶されている図５に示すカラーパッドの色とノートナンバ（音高）との関係を示す色−ノートナンバテーブルを参照してドラムスティックにより打撃されたパッド、すなわち、パッド検出部１０２により検出された色に応じた音高を決定する。そして、図５に示されるように、ノートナンバにはそれぞれ発音される音色が割り当てられている。つまり、色が決定すると、音高と音色という２つの演奏情報が決定されることになる。
【００１５】
因みに、色−ノートナンバテーブルでは、「赤」はノートナンバが「３８」でスネアドラムの演奏情報が、「青」はノートナンバが「４１」でフロアタムの演奏情報が、「緑」はノートナンバが「３５」でベースドラムの演奏情報が、「黒」はノートナンバが「４９」でシンバルの演奏情報が出力されるように対応づけられている。なお、色とノートナンバの関係はドラムスティック１０側において対応付けられているとするが、ノートナンバと音色の関係は音源ユニット２０側で決定されるとする。そして、ユーザによる音源ユニット２０の操作により、その関係は自由に設定可能とする。
【００１６】
次に、本発明の実施形態に係る電子ドラム装置の動作を図６及び図７のフローチャートを参照して説明する。図６は、ドラムスティック１０の動作内容を示しており、図７は音源ユニットの動作内容を示している。図６において、ドラムスティック１０の先端部で図８に示すようなパッドを叩くことによりトリガー検出部１００により振動が検出され、トリガー信号が出力されたか否かが判定される（ステップ３００）。
ステップ３００でトリガー検出部１００により振動が検出され、トリガー信号が出力されると、パッド検出部（色センサ）１０２によりドラムスティック１０により打撃されたパッドの色が検出される（ステップ３０１）。
【００１７】
トリガー検出部１００よりトリガー信号を受けた演奏情報生成部１０４は、パッド検出部１０２により検出されたパッドの色に基づいて色−ノートナンバテーブルを参照してパッドの色に応じたノートナンバを決定し、該決定されたノートナンバを含むノートオンイベント情報を作成して無線通信部１０６に出力する（ステップ３０２）。
無線通信部１０６では、該当するノートナンバを含むノートオンイベント情報を送信する（ステップ３０３）。
次いで、フローはステップ３００に戻り、振動の検出を待つ。
【００１８】
一方、音源ユニット２０は、図７に示すように、ドラムスティック１０における無線通信部１０６より送信されたノートナンバを含むノートオンイベント情報が無線通信部２００により受信されたか否かが判定される（ステップ４００）。受信すると、図５のテーブルより音色を導き出して、ノートオンイベント情報と共に音源２０２に出力する（ステップ４０１）。
次いで、音源２０２は、入力されたノートナンバと音色という２つの演奏情報に基づいてオーディオ信号を生成し、アンプ２０２を介して出力端２０Ａに出力する（ステップ４０２）。この結果、出力端子２０Ａに接続されたスピーカ２２より放音される。次いで、フローはステップ４００に戻り、情報の受信を待つ。
【００１９】
本実施形態に係る電子ドラム装置によれば、組み立てが不要で、軽量かつ小さく、パッドの大きさに制限がなく、かつ安価な電子ドラム装置が得られる。
【００２０】
【発明の効果】
本発明によれば、パッドをドラムスティックで打撃することにより、該打撃したパッドに応じた演奏音を音源ユニットより出力する電子ドラム装置であって、前記ドラムスティックは、前記パッドを打撃した際にトリガー信号を出力するトリガー出力手段と、打撃したパッドを検出するパッド検出手段と、前記トリガー信号が入力された際に前記パッド検出手段の検出出力に基づいて演奏情報を生成し、出力する演奏情報生成手段と、前記演奏情報生成手段より出力された演奏情報を前記音源ユニットに送信する通信手段とを有するので、組み立てが不要で、軽量かつ小さく、パッドの大きさに制限がなく、かつ安価な電子ドラム装置が得られる。
【図面の簡単な説明】
【図１】本発明の実施形態に係る電子ドラム装置の構成を示す図。
【図２】図１に示した電子ドラム装置の電気的構成を示すブロック図。
【図３】図１に示した電子ドラム装置におけるドラムスティックの変形例を示す説明図。
【図４】図１及び図２におけるトリガー検出部（振動センサ）の出力信号波形を示す図。
【図５】図１及び図２における演奏情報生成部に内蔵されるメモリに記憶されている色−ＭＩＤＩチャンネルテーブルの内容を示す説明図。
【図６】図２に示す電子ドラム装置におけるドラムスティックの動作内容を示すフローチャート。
【図７】図２に示す電子ドラム装置における音源ユニットの動作内容を示すフローチャート。
【図８】カラーパッドの一例を示す説明図。
【符号の説明】
１０…ドラムスティック、２０…音源ユニット、１００…トリガー出力部、１０２…パッド検出部、１０４…演奏情報生成部、１０６、２００…無線通信部、２０２…音源、２０４…アンプ
【図１】
2004037746.tif 000003
【図２】
2004037746.tif 000004
【図３】
2004037746.tif 000005
【図４】
2004037746.tif 000006
【図５】
2004037746.tif 000007
【図６】
2004037746.tif 000008
【図７】
2004037746.tif 000009
【図８】
2004037746.tif 000010